(57)【要約】【課題】左右の縦框間に亘って横材を簡単に取付けできると共に、その横材取付部の見栄えを良くする。【解決手段】取付具５とカバー体６を備えた取付用部品４を左右の縦框２２の表面２２ａに、その取付具５を固着具７で固着してそれぞれ取付け、前記各取付具５に横材３の長手方向端部をそれぞれ連結して横材３を左右の縦框２２間に亘って取付け、前記カバー体６をカバー姿勢とすることで前記取付具５、固着具７を覆うことで、横材３の取付部の見栄えを良くする。【選択図】図２
2010229652.tif 000002
【特許請求の範囲】
【請求項１】
枠体に建具体を取付け、この建具体の左右の縦框間に亘って横材を取付けた建具であって、
前記建具体の左右の縦框の表面に取付用部品を固着具で固着してそれぞれ取付け、
前記取付用部品は、前記固着具で前記縦框に固着した取付具と、前記取付具を覆うカバー姿勢と非カバー姿勢とに亘って当該取付具に回動自在に連結したカバー体とを有し、
前記各取付具に横材の長手方向端部をそれぞれ連結して取付け、
前記カバー姿勢のカバー体により取付具と固着具を覆うようにしたことを特徴とする建具。
【請求項２】
前記取付具は、固着具で縦框の表面に固着して取付ける本体部と、この本体部の側面に設けた横材取付部を有し、
前記本体部にカバー体が、その本体部と固着具を覆うカバー姿勢と、本体部の取付部分が露出する非カバー姿勢とに亘って回動自在に連結した請求項１記載の建具。
【請求項３】
前記横材取付部を横材の中空部に嵌合し、その横材の長手方向端面を本体部の側面に接して横材を連結し、
前記カバー体を、カバー姿勢のときに本体部と横材の長手方向端部寄りを覆う形状とした請求項２記載の建具。
【請求項４】
前記取付具の縦框取付面を縦框の表面に接し、この取付具の縦框取付面と反対側の横材取付面に横材の長手方向の端部寄りを接し、この横材の長手方向端部寄りから固着具を取付具を挿通して縦框に固着することで、取付具を縦框に取付けると共に、その取付具に横材を連結し、
前記取付具に連結したカバー体を、カバー姿勢とすることで取付具、横材の長手方向端部寄りを覆う形状とした請求項１記載の建具。
【請求項５】
前記取付具の横材取付面に、横材の長手方向端部寄りを仮固定する横材仮固定部を設け、前記横材取付面に横材を、その横材の孔と取付具の取付用孔が合致した状態で仮固定できるようにした請求項４記載の建具。
【請求項６】
前記取付具とカバー体に、相互に係合する係合受部と係合部を設け、
前記カバー体がカバー姿勢のときに係合部が係合受部に係合してカバー体をカバー姿勢で保持できるようにした請求項１〜５いずれか１項記載の建具。
【発明の詳細な説明】
【技術分野】
【０００１】
本発明は、浴室用開き戸、浴室用折れ戸などの枠体に建具体を開閉自在に取付けた建具に関する。
【背景技術】
【０００２】
従来、浴室用開き戸、浴室用折れ戸などにおいては、建具体の左右の縦框間に亘って、タオル掛け、取手などの横材を取付けることがある。
例えば、特許文献１に開示したように、折れ戸の戸体（建具体）の左右の縦框に支持具を取付け、この左右の支持具間に亘って取手を取付け、その取手を持って戸体を開閉するようにしている。
【先行技術文献】
【特許文献】
【０００３】
【特許文献１】実開昭６１−１６１３６２号公報
【発明の概要】
【発明が解決しようとする課題】
【０００４】
前述した従来の折れ戸は、支持具の取付部を縦框の切欠孔から中空部内に突出し、その取付部を中空部内で固定ビスにより縦框に固着して取付けているので、その固定ビスが外部から目視されずに横材取付部の見栄えが良い。
しかし、縦框に切欠孔を形成する必要があるし、縦框の中空部内で固定ビスを回転操作しなければならず、その作業が面倒である。
【０００５】
このことを解消するには、縦框の表面に、支持具を固定ビスで固着して取付け、その支持具にカバーを取付けて固定ビス等が見えないようにすることが考えられるが、このようにすると支持具とカバーを別々に準備し、支持具を取付けた後にカバーを取付けることになるので、部品点数が多く、部品管理が面倒であると共に、カバーを取付けることを忘れることがある。
前述のことは取手に限らず、タオル掛けなどの横材を取付ける場合も同様である。
【０００６】
本発明の目的は、建具体の左右の縦框間に亘って横材を簡単に取付けできると共に、横材取付部の見栄えが良いようにした建具とすることである。
【課題を解決するための手段】
【０００７】
本発明は、枠体に建具体を取付け、この建具体の左右の縦框間に亘って横材を取付けた建具であって、
前記建具体の左右の縦框の表面に取付用部品を固着具で固着してそれぞれ取付け、
前記取付用部品は、前記固着具で前記縦框に固着した取付具と、前記取付具を覆うカバー姿勢と非カバー姿勢とに亘って当該取付具に回動自在に連結したカバー体とを有し、
前記各取付具に横材の長手方向端部をそれぞれ連結して取付け、
前記カバー姿勢のカバー体により取付具と固着具を覆うようにしたことを特徴とする建具である。
【０００８】
本発明においては、前記取付具は、固着具で縦框の表面に固着して取付ける本体部と、この本体部の側面に設けた横材取付部を有し、
前記本体部にカバー体が、その本体部と固着具を覆うカバー姿勢と、本体部の取付部分が露出する非カバー姿勢とに亘って回動自在に連結することができる。
このようにすれば、本体部の取付けと横材の連結を別々にできるので、取付用部品に横材を取付けた状態で取付用部材を縦框に取付けしたり、取付用部品を縦框に取付けた状態で横材を連結したりできる。
【０００９】
本発明においては、前記横材取付部を横材の中空部に嵌合し、その横材の長手方向端面を本体部の側面に接して横材を連結し、
前記カバー体を、カバー姿勢のときに本体部と横材の長手方向端部寄りを覆う形状とすることができる。
このようにすれば、横材取付部を横材の中空部に嵌合することで横材を簡単に連結できるし、横材と本体部の接触部が見えないので、横材取付部の見栄えをより一層良いものにできる。
【００１０】
本発明においては、前記取付具の縦框取付面を縦框の表面に接し、この取付具の縦框取付面と反対側の横材取付面に横材の長手方向の端部寄りを接し、この横材の長手方向端部寄りから固着具を取付具を挿通して縦框に固着することで、取付具を縦框に取付けると共に、その取付具に横材を連結し、
前記取付具に連結したカバー体を、カバー姿勢とすることで取付具、横材の長手方向端部寄りを覆う形状とすることができる。
このようにすれば、取付具を縦框に取付ける固着具と取付具に横材を連結する固着具を兼用できるので、横材を縦框に取付ける作業が簡単である。
【００１１】
本発明においては、前記取付具の横材取付面に、横材の長手方向端部寄りを仮固定する横材仮固定部を設け、前記横材取付面に横材を、その横材の孔と取付具の取付用孔が合致した状態で仮固定するようにできる。
このようにすれば、横材を仮固定した状態で、固着具を横材の孔から取付具の取付用孔に挿入して縦框に固定できるので、その作業が簡単でやり易い。
【００１２】
本発明においては、前記取付具とカバー体に、相互に係合する係合受部と係合部を設け、
前記カバー体がカバー姿勢のときに係合部が係合受部に係合してカバー体をカバー姿勢で保持できるようにできる。
このようにすれば、カバー体をカバー姿勢で振動などにより動かないようにしっかりと保持できる。
【発明の効果】
【００１３】
本発明によれば、取付具は固着具で縦框の表面に取付けてあると共に、カバー体を非カバー姿勢とすることで取付けの邪魔にならないので、その取付けが容易であるから、横材を簡単に取付けできる。
さらに、取付具と固着具はカバー体で覆われているから横材取付部の見栄えが良い。
また、取付具にカバー体が連結してあるので、部品管理が容易で、カバー体の取付け忘れがない。
【図面の簡単な説明】
【００１４】
【図１】本発明の実施の形態を示す開き戸の概略正面図である。
【図２】図１のＡ−Ａ断面図である。
【図３】図２の横材取付部の拡大詳細正面図である。
【図４】図３の平面図である。
【図５】図３の右側面図である。
【図６】取付用部品の斜視図である。
【図７】取付用部品の平面図である。
【図８】本発明の第２の実施の形態を示す横材取付部の分解斜視図である。
【図９】本発明の第２の実施の形態を示す横材取付部の正面図である。
【図１０】横材の他の実施の形態を示す取付け状態の縦断面図である。
【発明を実施するための形態】
【００１５】
図１に示すように、枠体１に建具体２を開閉自在に取付けて建具としてある。
前記枠体１は、上枠１０と下枠１１と左右の縦材１２を矩形状に連結してある。
前記建具体２は、上框２０と下框２１と左右の縦框２２を矩形状に連結し、その内部に面材２３が装着してある。
前記左右の縦框２２間に亘って横材３が取付けてある。
【００１６】
図２に示すように、前記左右の縦框２２の表面２２ａに取付用部品４がそれぞれ取付けてある。
この左右の取付用部品４に、前記横材３の長手方向端部がそれぞれ連結され、左右の取付用部品４間に亘って横材３が取付けてある。
前記取付用部品４は、取付具５とカバー体６を備え、その取付具５が縦框２２の表面２２ａに固着具で固着して取付けられ、その取付具５に横材３が連結される。
前記カバー体６は取付具５に、取付具５を覆うカバー姿勢と、取付具５を固着具により取付ける部分、つまり取付部分が露出して取付けの際に邪魔にならない非カバー姿勢とに亘って回動自在に連結してある。
【００１７】
このようであるから、１つの取付用部品４によって左右の縦框２２間に亘って横材３を取付けできる。
その取付用部品４の取付具５は縦框２２の表面２２ａに固着具で取付けてあると共に、カバー体６を非カバー姿勢とすることでカバー体６が邪魔にならないので、取付用部品４を簡単に取付けできる。
前記取付具５はカバー体６で覆われて固着具が見えないから、横材取付部の見栄えが良い。
したがって、建具体２の左右の縦框２２間に亘って横材３を、１つの部品を用いることで簡単に取付けできると共に、横材取付部の見栄えが良い。
しかも、取付具５にカバー体６が連結してあるから、部品点数が少なく、部品管理が容易であると共に、カバー体６を取付けし忘れることがない。
なお、カバー体６で取付具５の全てを覆うことが好ましいが、必ずしも取付具５の全てを覆うのではなく、取付具５の目立つ部分、固着具で取り付ける部分を覆い、他の部分が露出するようにしても良い。
【００１８】
図２に示す建具体２は、一方の縦框２２を支点として矢印で示すように面外方向に向けて回転して開放する開き戸、例えば浴室用開き戸としてある。
また、横材３と面材２３とは離隔し、その横材３をタオル掛けや取手として利用できるようにしてある。
【００１９】
前記取付具５は、図３〜図５に示すように本体部５ａと、この本体部５ａに設けた横材取付部５ｂを有し、その本体部５ａがビスなどの固着具７で縦框２２の表面２２ａに固着して取付ける。
前記横材取付部５ｂは本体部５ａの側面５ｃに、側方に向けて一体に設けてあり、この横材取付部５ｂは本体部５ａの側面５ｃから側方に突出し、その横材取付部５ｂに横材３が連結される。
前記カバー体６は本体部５ａにカバー姿勢と非カバー姿勢とに亘って回動自在に連結され、カバー姿勢のときに本体部５ａと固着具７を覆う形状である。
【００２０】
このようにすれば、本体部５ａの縦框２２への取付けと、横材取付部５ｂへの横材３の連結を別々にできるので、取付用部品４を縦框２２に取付けた状態で横材３を連結したり、横材３を連結した取付用部品４を縦框２に取付けできる。
したがって、横材３を取付け状態に応じて取付けできる。
【００２１】
この実施の形態では、横材３は、横材取付部５ｂが嵌合する中空部３ａを有し、前記横材取付部５ｂが横材３の中空部３ａに嵌合して横材３の長手方向端面３ｂが、前記本体部５ａの側面５ｃに接している。
これにより、横材３を簡単に連結できる。
【００２２】
横材を取付けていない状態において、前記カバー体６は、実線で示すカバー姿勢のときに、本体部５ａを覆うと共に、このカバー体６は本体部５ａの側面５ｃよりも側方に突出し、前記横材３における前記本体部５ａの側面５ｃに接触した端面３ｂ寄り部分を覆う形状としてある。
つまり、カバー体６は、本体部５ａと横材３の長手方向端部寄りを覆う形状としてある。
このようであるから、横材３と本体部５ａの接触部が見えないので、横材取付部の見栄えをより一層良いものにできる。
【００２３】
横材を取付けていない状態において、前記カバー体６が図３、図４に仮想線で示す非カバー姿勢のときには、取付具５の本体部５ａ、横材取付部５ｂが外部に露出し、固着具７で取付具５を取付ける際にカバー体６が邪魔にならないようにしてある。
【００２４】
次に、取付用部品４の具体形状を説明する。
図６、図７に示すように、前記取付具５の本体部５ａは、見付け方向（左右方向）一方の第１側面３０と、他方の第２側面３１と、見込み方向（前後方向）一方の第１端面３２と、他方の第２端面３３と、上面３４と、下面３５で囲まれたブロック形状で、その第１端面３２には凹部３６が形成され、その凹部３６の底面と第２端面３３に亘って取付用孔３７が形成してある。前記第２側面３１に横軸取付部５ｂが一体に設けてあり、この第２側面３１が前述の側面５ｃである。
前記横軸取付部５ｂの外側面には、ほぼくさび形状の突条片３８が長手方向に向けて有し、この横軸取付部５ｂを横材３の中空部３ａ内に嵌合し易く、かつ抜けにくくしてある。
【００２５】
前記本体部５ａは図４に示すように、その本体部５ａの第２端面３３が縦框２２の表面２２ａに接し、その縦框２２に形成した孔２２ｂに前述の固着具７を螺合して取付けてある。つまり、第２端面３３が縦框取付面である。
前記孔２２ｂをバーリング加工によって形成することで、裏板を用いずに固着具７をしっかりと螺合することができる。
なお、図示を省略するが、前記本体部５ａの第２端面３３に単数または複数の突部を設け、この単数または複数の突部を縦框２２の表面２２ａに形成した単数または複数の凹部にそれぞれ嵌合することで、本体部５ａが縦框２２に対して回転しないようにすることができる。
このようにすれば、前述の固着具７を孔２２ｂに螺合する作業がやり易い。
【００２６】
前記カバー体６は、本体部５ａの第１側面３０と対向する基板４０と、この基板４０の上下端縁と連続し本体部５ａの上面３４、下面３５と対向する上面板４１、下面板４２と、前記基板４０の見付け方向一端縁（後述する回動中心６ａと反対側縁）と連続し、かつ上面板４１、下面板４２の見付け方向一端縁（後述する回動中心６ａと反対側縁）を連続し、前記本体部５ａの第１端面３２と対向する端面板４３で、見込み方向の一方の面と見付け方向の他方の面が開口した４面を有する略箱形状である。
前記カバー体６は、その基板４０の見付け方向の他端縁４０ａが前記本体部５ａの第１側面３０の見込み方向の他端縁３０ａ（縦框取付面側縁）に回動可能に連結され、その連結部が回動中心６ａである。例えば、取付具５とカバー体６を樹脂によって一体成形する。
【００２７】
このようであるから、カバー体６は図６、図７に示す非カバー姿勢の状態から、前述の連結部（回動中心６ａ）を支点として図７に矢印ａで示すように回動することで、図３〜図５に示すように、基板４０が第１側面３０と対向して覆い、上面板４１が上面３４を対向して覆い、下面板４２が下面３５と対向して覆い、端面板４３が第１端面３２と対向して覆うことで、カバー体６が本体部５ａを覆うカバー姿勢とすることができる。
【００２８】
前記本体部５ａとカバー体６とに亘って、カバー体６をカバー姿勢で保持して振動などによってカバー体６がカバー姿勢から非カバー姿勢に向けて回動しないようにする保持手段５０が設けてある。
例えば、図６と図７に示すように、本体部５ａの上面３４、下面３５における第２端面３３寄り部分（つまり、縦框取付面寄り部分）に係合受部５１が形成してある。
前記カバー体６の上面板４１、下面板４２の開口縁（つまり、端面板４３と反対側縁）に係合部５２をそれぞれ設け、カバー体６をカバー姿勢まで回動すると図５に示すように、係合部５２が係合受部５１に係合してカバー体６をカバー姿勢で保持する。
【００２９】
前記係合受部５１は、本体部５ａの上面３４、下面３５と第２端面３３とのコーナー部を切欠きした鉤形状の切欠き５１ａで、前記係合部５２は突条片５２ａで、この突条片５２ａを切欠き部５１ａに係合するようにしてある。
そして、カバー体６を非カバー姿勢から回動中心６ａを中心として図７に矢印ａで示す方向に回動するときに、前記突条片５２ａが本体部５ａの上面３４、下面３５に沿って摺動してカバー体６の上面板４１、下面板４２を拡開変形し、その突条片５２ａが切欠き５１ａに合致すると前記上面板４１、下面板４２が弾性復元して突条片５２ａが切欠き５１ａに係合する。
なお、突条片５２ａは切欠き５１ａにしっかりと係合して外れにくくしてある。
【００３０】
前述のようにしてカバー体６をカバー姿勢とするので、その突条片５２ａが本体部５ａの上面３４、下面３５にスムーズに乗り上げるように、前述の上面３４、下面３５を平行面に対して傾斜した斜面として突条片５２ａが上面３４、下面３５に乗り上げできるようにしてある。
【００３１】
例えば、図７に示すように本体部５ａの上面３４を、カバー体回動方向に２つに区分し、かつ回動中心６ａに近い方と遠い方に２つに区分して第１〜第４面３４ａ，３４ｂ，３４ｃ，３４ｄに区分する。
前記第１面３４ａはカバー体回転方向における上流側、つまり乗り上げ側で、回動中心６ａより遠い側で、カバー体６をカバー姿勢に向けて回動したときに前述の突条片５２ａが最初に乗り上げると共に、その突条片５２ａはほぼ矢印Ｘ方向に移動することになる。
したがって、第１面３４ａを矢印Ｘ方向に向けて乗り上げ側（第１側面３０側）が低く、下流側つまり乗り上げ側と反対側（第２側面３１側）が高くなるような斜面とする。
【００３２】
前記第２面３４ｂはカバー体回転方向における乗り上げ側と反対側で、回動中心６ａより遠い側で、この第２面３４ｂには突条片５２ａが接しないので、第２面３４ｂは、第１面３４ａの反対側の高さと同一の高さの平行面とする。
【００３３】
前記３面３４ｃは、カバー体回動方向における乗り上げ側で、回動中心６ａに近い側で、カバー体６が回動することで突条片５２ａは斜めの姿勢で順次乗り上げるから、突条片５２ａは矢印Ｙ方向に順次移動することになる。
したがって、第３面３４ｃは矢印Ｙ方向に向けて回動支点６ａから遠く、かつ乗り上げ側が最も低く、かつ第１面３４ａの乗り上げ側縁と同一高さで、回動支点６ａから近く、かつ乗り上げ側と反対側が高くなるような斜面とする。
【００３４】
前記第４面３４ｄは、乗り上げ側と反対側で、回動支点６ａに近い側で、カバー体６がある程度回動して突条片５２ａが第１面３４ａを通過して第３面３４ｃの中間まで移動したときに突条片５２ａが第４面３４ｄに接し、突条片５２ａは、ほぼ矢印Ｚ方向に移動することになる。
したがって、第４面３４ｄは矢印Ｚ方向に向けて、回動中心６ａから遠い側が低く、かつ第２端面３４ａと同一高さで、回動支点６ａに近い側が高くなるような斜面とする。
なお、下面３５も同様としてある。
【００３５】
このようにすることで、カバー体６を非カバー姿勢からカバー姿勢に向けて回動するときに、突条片５２ａは本体部５ａの上面３４、下面３５にスムーズに乗り上げて上面３４、下面３５に沿って摺動し、その突条片５２ａが切欠き５１ａに係合する。
【００３６】
なお、係合部５２を凹部で、係合受部５１を突部とした場合には、本体５ａの上面３４、下面３５を平行面とすることができる。
【００３７】
次に、取付用部品４の第２の実施の形態を説明する。
前述の実施の形態では、取付具５を、本体部５ａの側面に横材取付部５ｂを突出して有した形状としたが、この実施の形態では、本体部５ａと横材取付部５ｂを兼用する取付具５とし、固着具７で取付具５に横材３を連結すると共に、取付具５を縦框２２に固着するようにした。
【００３８】
図８に示すように、取付具５を、見付け方向の第１側面６０と第２側面６１と、見込み方向の第１端面６２と第２端面６３と、上面６４と、下面６５を有するブロック形状とし、その第１端面６２と第２端面６３に亘って取付用孔６６を形成する。
前記横材３は、見込み方向一側の第１縦板３ｃと、他側の第２縦板３ｄと、上板３ｅと、下板３ｆで中空部３ａを有する長尺形状で、その第１縦板３ｄに孔３ｇが形成されていると共に、第２縦板３ｄに固着具挿入部、例えば切欠部３ｈが形成してある。
【００３９】
そして、横材３の第１縦板３ｃを取付具５の第１端面６２に接し、この横材３の切欠部３ｈ、孔３ｇから固着具７を取付具５の取付用孔６６を挿通して縦框２２の孔２２ｂに螺合して取付具５を縦框２２の表面２２ａに取付けると共に、その取付具５に横材３の長手方向端部を連結する。つまり、取付具５の第１端面６２が横材取付面で、第２端面６３が縦框取付面である。
【００４０】
このようであるから、取付具５を縦框２２に取付ける固着具７と、横材３を取付具５に連結する固着具７を兼用できるので、１つの固着具７を螺合すれば良く、横材３の取付け作業が容易である。
【００４１】
前記取付具５の第１側面６０の第２端面６３寄り部分とカバー体６の基板４０を回動自在に連結し、その連結部を回動中心６ａとする。
前記カバー体６を回動中心６ａを中心として回動することで、図９に示すように、そのカバー体６により取付具５、横材３の長手方向端部寄り部分を覆うカバー姿勢とすることができる。
【００４２】
この実施の形態では、取付具５に横材仮固部７０が設けてあり、横材３を取付具５に取付けるときに、横材３を取付具５に仮固定できるようにしてある。
例えば、取付具５の第１端面６２の上下部に平面がＬ字形状の上下一対の固定片７１を一体に設け、この各固定片７１と第１端面６２との間に隙間７２を形成すると共に、一対の固定片７１を連結片７３で一体的に連結する。
前記横材３の中空部３ａに、前記上下一対の固定片７１が嵌合されることで、横材３が取付具５に仮固定され、横材３が取付具５に、所定の取付け位置で仮固定されると共に、横材３の孔３ｇが取付具５の取付用孔６６に合致する。
【００４３】
このようであるから、カバー体６を非カバー姿勢とした状態で、取付具５に横材３を仮固定し、固着具７で取付具５を縦框２２に取付けると同時に、横材３を取付具５に連結できると共に、横材３を取付具５に対して動かないように手で保持する必要がなく、作業性が良い。
【００４４】
前述の実施の形態において、横材仮固定部７０を設けることなく、横材３を取付具５に押しつけながら固着具７を縦框２２に螺合するようにしても良い。
【００４５】
前述の各実施の形態においては、横材３を取手やタオル掛けとして利用できるものとしたが、これに限ることはなく、物を載置する棚として利用できるものとしても良い。
例えば、図１０に示すように、横材３を、前述の取付用部品４に取付ける取付部８０と、この取付部８０より見込み方向に張り出している物品載置部８１を有する形状とする。
前記物品載置部８１は面材２３に接するようにしても良いが、面材２３との間にクリアランスを設けるようにしても良い。
【００４６】
このようにすれば、物品載置部８１に小物を置くことができる。
また、前述の横材３よりも上方位置に、別の横材を図１、図２に示すと同様に取付けることで、物品載置部８１に本の下部を載置し、その本の上部寄りを別の横材に接することで、本を収納することができる。
【００４７】
前述の横材３の物品載置部８１は板状であるから、重量物を載せたときに下向きに湾曲変形することがあるので、縦框２２の内側見込み面２２ｃに支持部８２を設けて物品載置部８１が下向きに湾曲変形しないようにすることができる。
前述の支持部８２としては、縦框２２の内側見込み面２２ｃの一部分を打ち出し加工したもの、部品を縦框２２の内側見込み面２２ｃに固着したもの等がある。
【００４８】
前述の物品載置部８１は取付部８０の下部に設けたが、上部に設けても良い。
この場合には、物品載置部８１の面材２３と反対側に立上り部を設けて物品の脱落を防止するようにできる。
また、物品載置部８１の面材２３側と反対側の両方に立上り部を設けて部品の脱落を防止するようにできる。
【００４９】
前述の横材３は、上横材と下横材との間にスリット板を一体に設けたもの、上横材と下横材との間に網体を取付けたもの等とすることもできる。
このようにすれば、小物を吊り下げることができる。
【００５０】
前述の取付具５を、図１０に示した縦框２２の内側見込み面２２ｃに固着具で固着するようにしても良い。つまり、前述の各実施の形態においては、縦框２２の表面２２ａを見付け面としたが、その表面２２ａは前述の内側見込み面２２ｃでも良い。
【符号の説明】
【００５１】
１…枠体、２…建具体、３…横材、３ａ…中空部、３ｂ…長手方向端面、４…取付用部品、５…取付具、５ａ…本体部、５ｂ…横材取付部、５ｃ…側面、６…カバー体、７…固着具、２２…縦框、２２ａ…表面、５０…保持手段、６１…係合受部、６２…係合部、７０…横材仮固部。
【図１】
2010229652.tif 000003
【図２】
2010229652.tif 000004
【図３】
2010229652.tif 000005
【図４】
2010229652.tif 000006
【図５】
2010229652.tif 000007
【図６】
2010229652.tif 000008
【図７】
2010229652.tif 000009
【図８】
2010229652.tif 000010
【図９】
2010229652.tif 000011
【図１０】
2010229652.tif 000012